(57)【要約】【課題】画像形成装置に対して利用する機能を設定する場合において、利用者の利便性を向上させること。【解決手段】画像形成装置における利用可能な機能のうちページ単位での設定が可能なページ処理機能を適用するページ範囲を、適用するページ処理機能毎に受け付け、前記画像形成装置における利用可能な機能のうち画像形成出力後に実行される後処理機能を適用するページ範囲を、適用する後処理機能毎に受け付け、前記後処理機能が適用されるページ範囲と、前記後処理機能が適用されるページ範囲のうち前記画像処理機能が適用されるページ範囲とを関連付けて、各ページ範囲に適用される機能の種類が識別可能なように、各ページ範囲に適用される機能の一覧を表示部に表示させる。【選択図】図８
2015207056.tif 000002
【特許請求の範囲】
【請求項１】
画像形成装置に対して利用する機能を設定するための機能設定プログラムであって、
前記画像形成装置における利用可能な機能のうちページ単位での設定が可能なページ処理機能を適用するページ範囲を、適用するページ処理機能毎に受け付けるページ処理機能受付ステップと、
前記画像形成装置における利用可能な機能のうち画像形成出力後に実行される後処理機能を適用するページ範囲を、適用する後処理機能毎に受け付ける後処理機能受付ステップと、
前記後処理機能が適用されるページ範囲と、前記後処理機能が適用されるページ範囲のうち前記画像処理機能が適用されるページ範囲とを関連付けて、各ページ範囲に適用される機能の種類が識別可能なように、各ページ範囲に適用される機能の一覧を表示部に表示させる一覧表示ステップと、
を実行することを特徴とする機能設定プログラム。
【請求項２】
前記ページ処理機能が適用される各ページ範囲のうちいずれかのページ範囲に、前記後処理機能が適用されるページ範囲の開始ページが含まれているか否かを判定する判定ステップと、
前記いずれかのページ範囲に前記開始ページが含まれていると判定された場合に、前記開始ページが含まれていると判定された前記ページ範囲を前記開始ページと前記開始ページの１ページ手前のページとの間で分割する分割ステップと、
を実行し、
前記一覧表示ステップは、前記開始ページが含まれていると判定された前記ページ範囲が分割された状態で、前記一覧を前記表示部に表示させることを特徴とする請求項１に記載の機能設定プログラム。
【請求項３】
前記ページ処理機能受付ステップは、前記後処理機能を適用するページ範囲として受け付けた各ページ範囲を、前記画像形成装置における利用可能な機能のうちページ単位での設定が可能なページ処理機能を適用するページ範囲として、適用するページ処理機能毎に指定可能なように前記表示部に表示させるページ処理機能表示ステップを実行することを特徴とする請求項１又は２に記載の機能設定プログラム。
【請求項４】
前記一覧表示ステップは、前記後処理機能が適用される各ページ範囲をそれぞれ識別するための識別情報を付加した状態で前記一覧を前記表示部に表示させることを特徴とする請求項１乃至３いずれか１項に記載の機能設定プログラム。
【請求項５】
請求項１乃至４いずれか１項に記載の機能設定プログラムを記録したことを特徴とする記録媒体。
【請求項６】
請求項１乃至４いずれか１項に記載の機能設定プログラムを実行することを特徴とする情報処理装置。
【請求項７】
画像形成装置に対して利用する機能を設定するための機能設定方法であって、
前記画像形成装置における利用可能な機能のうちページ単位での設定が可能なページ処理機能を適用するページ範囲を、適用するページ処理機能毎に受け付け、
前記画像形成装置における利用可能な機能のうち画像形成出力後に実行される後処理機能を適用するページ範囲を、適用する後処理機能毎に受け付け、
前記後処理機能が適用されるページ範囲と、前記後処理機能が適用されるページ範囲のうち前記画像処理機能が適用されるページ範囲とを関連付けて、各ページ範囲に適用される機能の種類が識別可能なように、各ページ範囲に適用される機能の一覧を表示部に表示させることを特徴とする機能設定方法。
【発明の詳細な説明】
【技術分野】
【０００１】
本発明は、機能設定プログラム、機能設定方法に関し、特に、画像形成装置に対する利用機能の設定に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
このような複合機のうち、電子化された書類の出力に用いられるプリンタを利用する場合、利用者はまず、ＰＣ（Ｐｅｒｓｏｎａｌ  Ｃｏｍｐｕｔｅｒ）等の情報処理装置にソフトウェア・プログラムとしてプリンタドライバをインストールする必要がある。そして、利用者は、インストールされたプリンタドライバが提供するＵＩ（Ｕｓｅｒ  Ｉｎｔｅｒｆａｃｅ：ユーザインタフェース）に従って情報処理装置を操作することでプリンタドライバに画像形成出力の対象となるデータ（以下、「印刷対象データ」とする）及び印刷部数等の印刷条件を設定した上で印刷ジョブを生成させ、生成させた印刷ジョブをプリンタに入力するようになっている。このようにして、利用者は、所望の印刷条件に従ってプリンタに画像形成出力を実行させるようになっている。
【０００４】
また、近年、このようなプリンタには様々な機能が追加されるようになり、それらの機能を使い、様々な印刷条件で印刷が行われるようになっている。例えば、両面印刷機能、集約印刷機能、モノクロ印刷機能、カラー印刷機能、ソート機能、スタック機能、折り機能、ステープル機能、パンチ機能、製本機能等が挙げられる。
【０００５】
このような機能を利用してプリンタに印刷を行わせるためには、利用者は、印刷対象データや印刷部数等の印刷条件に加えて、上記機能に関する印刷条件を含む印刷ジョブをプリンタに入力する必要がある。そのため、上記機能を利用してプリンタに印刷を行わせるためには、利用者は、プリンタドライバに印刷対象データ及び印刷部数等の印刷条件を設定する他、上記機能に関する印刷条件を設定した上で印刷ジョブを生成させる必要がある。
【０００６】
そして、このようなプリンタドライバとして、上記機能に関する印刷条件を印刷ジョブ単位で設定するプリンタドライバと、上記機能に関する印刷条件をページ単位で設定することが可能なプリンタドライバとが知られている。前者のプリンタドライバによれば、一の印刷ジョブに複数ページ分の印刷対象データが含まれている場合、その全てのページを同じ印刷条件にて印刷させることしかできないが、後者のプリンタドライバによれば、一の印刷ジョブに複数ページ分の印刷対象データが含まれている場合、各ページを異なる印刷条件にて印刷させることが可能となる。
【０００７】
後者のようにページ単位で印刷条件を設定するプリンタドライバは特に、オフィスや家庭での印刷のような簡易な印刷物の出力ではなく、ページ毎に印刷メディアタイプや印刷条件が異なるような付加価値の高い印刷物の出力が望まれるプロダクトプリンティングにおいて重要となる。これは、プロダクトプリンティングにおいては、印刷物そのものが製品となるためである。
【０００８】
そして、このようなプリンタドライバを利用して印刷を行わせる場合、利用者は、全ページを通して共通して適用される印刷条件を設定する他、その印刷条件とは異なる印刷条件で印刷させたいページを指定し、指定したページに個別に印刷条件を設定するようになっている。ところが、このようなプリンタドライバにおいては、ページ毎に異なる機能を設定しなければならないため印刷条件の設定が複雑化してしまい、利用者は、印刷条件の設定に煩わしさを感じてしまうといった問題がある。
【０００９】
そこで、このようなプリンタドライバのうち、折り機能、ステープル機能、パンチ機能等、複数ページ毎にまとめて設定される後処理機能に関する印刷条件（以下、「後処理条件」とする）と、両面印刷機能、集約印刷機能、モノクロ印刷機能、カラー印刷機能等、ページ単位での設定が可能なページ処理機能に関する印刷条件（以下、「ページ処理条件」とする）とを別々に設定することが可能なプリンタドライバが提案され既に知られている（例えば、特許文献１を参照）。
【００１０】
特許文献１に開示されているプリンタドライバによれば、複数ページ毎にまとめて設定される後処理条件と、ページ単位で設定されるページ処理条件とを別々に設定可能であるため、利用者による印刷条件の設定を簡易化させることが可能となる。
【００１１】
そして、利用者は、それらの設定が完了した後、後処理条件に関する設定内容とその設定内容が適用されるページ範囲とがリスト表示された確認画面、及び、ページ処理条件に関する設定内容とその設定内容が適用されるページ範囲とがリスト表示された確認画面をそれぞれ確認することで、所望の印刷条件が設定されているかどうかを確認することができるようになっている。
【発明の概要】
【発明が解決しようとする課題】
【００１２】
ところが、このとき、後処理条件に関するリストとページ処理条件に関するリストとが別々の確認画面に表示されるため、利用者は、後処理条件が設定されたページ範囲とページ処理条件が設定されたページ範囲との関係性を把握することが困難となり、所望の印刷条件が設定されているかどうかを確認することが困難となってしまう。
【００１３】
尚、このような問題は、プリンタドライバに限らず、画像形成装置に対して利用する機能を設定するための機能設定プログラムであれば同様に生じ得る問題である。
【００１４】
本発明は、このような課題を解決するためになされたものであり、画像形成装置に対して利用する機能を設定する場合において、利用者の利便性を向上させることを目的とする。
【課題を解決するための手段】
【００１５】
上記課題を解決するために、画像形成装置に対して利用する機能を設定するための機能設定プログラムであって、前記画像形成装置における利用可能な機能のうちページ単位での設定が可能なページ処理機能を適用するページ範囲を、適用するページ処理機能毎に受け付けるページ処理機能受付ステップと、前記画像形成装置における利用可能な機能のうち画像形成出力後に実行される後処理機能を適用するページ範囲を、適用する後処理機能毎に受け付ける後処理機能受付ステップと、前記後処理機能が適用されるページ範囲と、前記後処理機能が適用されるページ範囲のうち前記画像処理機能が適用されるページ範囲とを関連付けて、各ページ範囲に適用される機能の種類が識別可能なように、各ページ範囲に適用される機能の一覧を表示部に表示させる一覧表示ステップと、を実行することを特徴とする機能設定プログラム。
【発明の効果】
【００１６】
本発明によれば、画像形成装置に対して利用する機能を設定する場合において、利用者の利便性を向上させることができる。
【図面の簡単な説明】
【００１７】
【図１】本発明の実施形態に係る画像形成装置の全体構成を簡略化して示す図である。
【図２】本発明の実施形態に係る画像形成装置のハードウェア構成を模式的に示すブロック図である。
【図３】本発明の実施形態に係る画像形成装置の機能構成を模式的に示すブロック図である。
【図４】本発明の実施形態に係るプリンタドライバの機能構成を模式的に示すブロック図である。
【図５】本発明の実施形態に係る全体設定画面の表示例を示す図である。
【図６】本発明の実施形態に係る後処理設定画面の表示例を示す図である。
【図７】本発明の実施形態に係るページ処理設定画面の表示例を示す図である。
【図８】本発明の実施形態に係る例外設定確認画面の表示例を示す図である。
【図９】本発明の実施形態に係る印刷結果の一例を示す図である。
【図１０】本発明の実施形態に係る設定データ記憶部に記憶されている後処理設定データの一例を示す図である。
【図１１】本発明の実施形態に係る設定データ記憶部に記憶されているページ処理設定データの一例を示す図である。
【図１２】本発明の実施形態に係る設定データ記憶部に記憶されている例外処理設定データの一例を示す図である。
【図１３】本発明の実施形態に係るプリンタドライバが利用者の操作に応じてページ処理条件を設定する際の処理を説明するためのフローチャートである。
【図１４】本発明の実施形態に係るプリンタドライバが利用者の操作に応じて後処理条件を設定する際の処理を説明するためのフローチャートである。
【図１５】本発明の実施形態に係るプリンタドライバが利用者の操作に応じて例外設定確認画面を表示する際の処理を説明するためのフローチャートである。
【発明を実施するための形態】
【００１８】
以下、図面を参照して、本発明の実施形態を詳細に説明する。本実施形態においては、画像形成システムの例として、搬送される記録媒体に対して画像形成出力を実行する画像形成装置と、クライアント端末から上記画像形成装置を利用するためにそのクライアント端末にインストールされて利用されるプリンタドライバとを含む画像形成システムを例として説明する。
【００１９】
このような画像形成システムにおいて、電子化された書類の出力に用いられるプリンタを利用する場合、利用者はまず、インストールされたプリンタドライバが提供するＵＩ（  Ｕｓｅｒ  Ｉｎｔｅｒｆａｃｅ：ユーザインタフェース）に従ってクライアント端末を操作することでプリンタドライバに画像形成出力の対象となるデータ（以下、「印刷対象データ」とする）及び印刷部数等の印刷条件を設定するようになっている。
【００２０】
尚、本実施形態に係る画像形成装置は、例えば、両面印刷機能、集約印刷機能、モノクロ印刷機能、カラー印刷機能、ソート機能、スタック機能、折り機能、ステープル機能、パンチ機能、製本機能等の様々な機能が備えられている。そのため、利用者は、このような機能を利用してプリンタに印刷を行わせるためには、プリンタドライバに印刷対象データ及び印刷部数等の印刷条件を設定する他、上記機能に関する印刷条件を設定した上で印刷ジョブを生成させ、生成させた印刷ジョブをプリンタに入力するようになっている。
【００２１】
また、本実施形態に係るプリンタドライバは、上記機能に関する印刷条件をページ単位で設定することが可能となっており、一の印刷ジョブに複数ページ分の印刷対象データが含まれている場合、各ページを異なる印刷条件にて印刷させることが可能となっている。
【００２２】
そして、利用者は、このようなプリンタドライバを利用して印刷を行わせる場合、利用者は、全ページを通して共通して適用される印刷条件（以下、「全体条件」とする）を設定する他、例外処理としてその全体条件とは異なる印刷条件（以下、「例外条件」とする）で印刷させたいページ（以下、「例外ページ」とする）を指定し、指定した例外ページに個別に例外条件を設定するようになっている。
【００２３】
このとき、本実施形態に係るプリンタドライバは、例外条件として、折り機能、ステープル機能、パンチ機能等、複数ページ毎にまとめて設定される後処理機能に関する印刷条件（以下、「後処理条件」とする）と、両面印刷機能、集約印刷機能、モノクロ印刷機能、カラー印刷機能等、ページ単位での設定が可能なページ処理機能に関する印刷条件（以下、「ページ処理条件」とする）とを別々に設定可能なように構成されている。
【００２４】
そして、本実施形態に係るプリンタドライバは、それらの設定が完了した後、後処理条件に関する設定内容とページ処理条件に関する設定内容とが、設定されたページ範囲毎にリスト表示された確認画面を表示するようになっている。これにより、利用者は、所望の印刷設定となっているかどうかを確認することができるようになっている。
【００２５】
このようなプリンタドライバにおいて、本実施形態に係る要旨の一つは、後処理条件に関する設定内容とページ処理条件に関する設定内容とを、後処理条件が設定された各ページ範囲を単位にして確認画面に表示することにある。
【００２６】
従って、本実施形態に係るプリンタドライバによれば、印刷条件の設定内容を利用者に容易に確認させると共に、ページ処理条件が設定されたページ範囲と後処理条件が設定されたページ範囲との関係性を利用者に容易に把握させることが可能となる。
【００２７】
また、このようなプリンタドライバにおいて、本実施形態に係る他の要旨の一つは、後処理条件が設定された複数のページ範囲をまたいで重複するようにページ処理条件が設定された場合に、そのページ処理条件が設定されたページ範囲を、重複している後処理条件のページ範囲を基準にして分割して確認画面に表示することにある。
【００２８】
従って、本実施形態に係るプリンタドライバによれば、後処理条件が設定された複数のページ範囲をまたいで重複するようにページ処理条件が設定された場合であっても、印刷条件の設定内容を利用者に容易に確認させると共に、ページ処理条件が設定されたページ範囲と後処理条件が設定されたページ範囲との関係性を利用者に容易に把握させることが可能となる。
【００２９】
これにより、本実施形態に係るプリンタドライバは、画像形成装置に対して利用する機能を設定する場合において、所望の印刷設定となっているかどうかを利用者に容易に確認させることが可能となり、利用者の利便性を向上させることが可能となる。
【００３０】
まず、本実施形態に係る画像形成システムの運用形態について、図１を参照して説明する。図１は、本実施形態に係る画像形成システムの運用形態の例を示す図である。図１に示すように、本実施形態に係る画像形成システムは、クライアント端末１が接続されたネットワーク３と、画像形成装置２が接続されたネットワーク４とがインターネットや電話回線等の公衆回線５を介して接続されて構成されている。
【００３１】
尚、ネットワーク３に接続されているクライアント端末１の数は一例であり、これらがもっと多く接続された大規模なシステムであっても良い。また、それぞれ異なるクライアント端末１が接続された複数のネットワークが公衆回線５を介して画像形成装置２と接続される構成としても良いし、クライアント端末１と画像形成装置２とが同一のネットワーク上に接続されて構成されていても良い。
【００３２】
クライアント端末１は、ユーザが操作する情報処理端末であり、ＰＣ（Ｐｅｒｓｏｎａｌ  Ｃｏｍｐｕｔｅｒ）等の情報処理装置によって実現される。尚、クライアント端末１は、ＰＤＡ（Ｐｅｒｓｏｎａｌ  Ｄｉｇｉｔａｌ  Ａｓｓｉｓｔａｎｔ）やスマートフォン、タブレット端末等の携帯情報端末によって実現されても良い。また、本実施形態に係るクライアント端末１は、画像形成装置２を利用するための専用のソフトウェアであるプリンタドライバがインストールされている。
【００３３】
従って、本実施形態に係るクライアント端末１は、利用者の操作により、印刷対象となるデータ（以下、「印刷対象データ」とする）をＰＤＬ（Ｐａｇｅ  Ｄｉｓｃｒｉｐｔｉｏｎ  Ｌａｎｇｕａｇｅ）データやＪＤＦ（Ｊｏｂ  Ｄｅｆｉｎｉｔｉｏｎ  Ｆｏｒｍａｔ）データ等の画像データに変換して、画像形成装置２に画像形成出力を実行させるための印刷ジョブを生成して送信することができるようになっている。尚、画像形成装置２が印刷対象データそのものを処理できる場合には、その印刷対象データを画像データとしても良い。
【００３４】
画像形成装置２は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。また、画像形成装置２は、クライアント端末１から送信されてきた印刷ジョブに含まれる画像データに基づいてＣＭＹＫ（Ｃｙａｎ  Ｍｇｅｎｔａ  Ｙｅｌｌｏｗ  Ｋｅｙ  Ｐｌａｔｅ）若しくはモノクロの描画データを生成し、生成した描画データに基づいて、給紙された用紙に対して画像形成出力を実行するカラープリンタやモノクロプリンタとしての機能を有する。
【００３５】
また、本実施形態に係る画像形成装置２は、この他、両面印刷機能、集約印刷機能、ソート機能、スタック機能、折り機能、ステープル機能、パンチ機能、製本機能等を有し、クライアント端末１から送信されてきた印刷ジョブに含まれるそれらの機能に関する印刷条件に基づいてそれらの機能を実行する。
【００３６】
尚、図１におけるネットワーク３、４は、例えば、オフィスＬＡＮ（Ｌｏｃａｌ  Ａｒｅａ  Ｎｅｔｗｏｒｋ）等の限定されたネットワークであり、クライアント端末１、画像形成装置２は、夫々のＬＡＮを介して公衆回線５に接続されるが、公衆回線５に直接接続される態様とすることも可能である。
【００３７】
次に、本実施形態に係るクライアント端末１、画像形成装置２のハードウェア構成について、図２を参照して説明する。図２は、本実施形態に係るクライアント端末１のハードウェア構成を模式的に示すブロック図である。尚、画像形成装置２は、図２に示すハードウェア構成に加えて、スキャナやプリンタ、ステープル機能、折り機能、製本機能等を実現するためのエンジンを備える。以下の説明においては、クライアント端末１のハードウェア構成を例として説明するが、画像形成装置２についても同様である。
【００３８】
図２に示すように、本実施形態に係るクライアント端末１は、一般的なサーバやＰＣ（Ｐｅｒｓｏｎａｌ  Ｃｏｍｐｕｔｅｒ）等と同様の構成を含む。即ち、本実施形態に係るクライアント端末１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０、操作部７０が接続されている。
【００３９】
ＣＰＵ１０は演算手段であり、クライアント端末１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００４０】
Ｉ／Ｆ５０は、バス８０と各種のハードウェアやネットワーク等を接続し制御する。ＬＣＤ６０は、ユーザがクライアント端末１の状態を確認するための視覚的ユーザインタフェースである。操作部７０は、キーボードやマウス等、ユーザがクライアント端末１に情報を入力するためのユーザインタフェースである。
【００４１】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係るクライアント端末１の機能を実現する機能ブロックが構成される。
【００４２】
次に、本実施形態に係るクライアント端末１の機能構成について、図３を参照して説明する。図３は、本実施形態に係るクライアント端末１の機能構成を模式的に示すブロック図である。
【００４３】
図３に示すように、本実施形態に係るクライアント端末１は、コントローラ１００、キーボード１０１、マウス１０２、ディスプレイパネル１０３、ネットワークＩ／Ｆ１０４を有する。また、コントローラ１００は、ＯＳ（Ｏｐｅｒａｔｉｎｇ  Ｓｙｓｔｅｍ）２００、アプリケーション３００、プリンタドライバ４００、データ記憶部５００、操作制御部６００、表示制御部７００、入出力制御部８００を有する。
【００４４】
キーボード１０１及びマウス１０２は、ユーザがクライアント端末１を操作し若しくはクライアント端末１に対して情報を入力する際の入力インタフェースである。キーボード１０１及びマウス１０２は、図２に示す操作部７０によって実現される。ディスプレイパネル１０３は、クライアント端末１の状態を視覚的に表示する出力インタフェースである。ディスプレイパネル１０３は、図２に示すＬＣＤ６０によって実現される。即ち、本実施形態においては、ディスプレイパネル１０３が表示部として機能する。
【００４５】
ネットワークＩ／Ｆ１０４は、クライアント端末１がネットワークを介して画像形成装置２等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェース、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）等のインタフェースが用いられる。このように、本実施形態に係るクライアント端末１は、ネットワークＩ／Ｆ１０４を介して接続された画像形成装置２へ印刷依頼の画像データや、印刷要求などの各種制御コマンドを送信する。ネットワークＩ／Ｆ１０４は、図２に示すＩ／Ｆ５０によって実現される。
【００４６】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、クライアント端末１全体を制御する制御部として機能する。
【００４７】
ＯＳ２００は、Ｍｉｃｒｏｓｏｆｔ  Ｗｉｎｄｏｗｓ（登録商標）、Ｌｉｎｕｘ(登録商標)等のオペレーティングシステムである。アプリケーション３００は、クライアント端末１の利用者が、テキスト編集プログラム、ワードプロセッサ、表計算ソフト等、クライアント端末１上で実行したい作業を実施する機能を直接的に有するソフトウェアである。
【００４８】
プリンタドライバ４００は、画像形成装置２を使用するためのデバイスドライバであって、利用者が印刷対象データ及び印刷条件を設定するためのＵＩである設定画面をクライアント端末１のディスプレイパネル１０３に表示させ、設定された印刷対象データ及び印刷条件に従って画像形成装置２に印刷を行わせるための印刷ジョブを生成する。データ記憶部５００は、印刷対象データ等のデータを記憶する。データ記憶部５００は、図２に示すＲＡＭ２０等の揮発性の記憶媒体や、ＨＤＤ４０等の不揮発性の記憶媒体によって実現される。
【００４９】
操作制御部６００は、キーボード１０１及びマウス１０２を介して入力された情報を、ＯＳ２００やアプリケーション３００、プリンタドライバ４００等、クライアント端末１において動作する各動作部に入力する。表示制御部７００は、ディスプレイパネル１０３に情報表示を行う。入出力制御部８００は、ネットワークＩ／Ｆ１０４を介して入力される情報を、ＯＳ２００やアプリケーション３００、プリンタドライバ４００等、クライアント端末１において動作する各動作部に入力する。
【００５０】
次に、本実施形態に係るプリンタドライバ４００の機能構成について、図４を参照して説明する。図４は、本実施形態に係るプリンタドライバ４００の機能構成を模式的に示すブロック図である。図４に示すように、本実施形態に係るプリンタドライバ４００は、ＵＩモジュール４１０、設定可能情報記憶部４２０、設定データ記憶部４３０、描画モジュール４４０を有する。また、ＵＩモジュール４１０は、ＵＩ制御部４１１、ＵＩ表示制御部４１２、設定データ入力部４１３を有する。
【００５１】
ＵＩモジュール４１０は、利用者が印刷対象データ及び印刷条件（以下、総称して「設定データ」とする）を設定するためのＵＩである設定画面をクライアント端末１のディスプレイパネル１０３に表示させ、設定画面における利用者の操作による設定データの入力を受け付ける。また、ＵＩモジュール４１０は、利用者が設定画面において設定した印刷条件を確認するためのＵＩである確認画面をクライアント端末１のディスプレイパネル１０３に表示させ。ＵＩ制御部４１１は、ＵＩモジュール４１０に含まれる各部を制御する。
【００５２】
ＵＩ表示制御部４１２は、後述する設定可能情報記憶部４２０に記憶されている設定可能情報に基づき、利用者が印刷条件を設定するためのＵＩである設定画面を表示させるための設定画面表示情報を生成して、表示制御部７００を介して、生成した設定画面表示情報に従ってディスプレイパネル１０３に設定画面を表示させる。
【００５３】
尚、本実施形態においては、全体条件を設定するための設定画面（以下、「全体設定画面」とする）の他、ページ処理条件を設定するための設定画面（以下、「ページ処理設定画面」とする）と後処理条件を設定するための設定画面（以下、「後処理設定画面」とする）とが用意されており、利用者は、全体条件を設定することができる他、ページ処理条件と後処理条件とを別々に設定することができるようになっている。
【００５４】
ここで、本実施形態に係る設定画面について、図５、図６、図７を参照して説明する。図５は、本実施形態に係る全体設定画面の表示例を示す図である。図６は、本実施形態に係る後処理設定画面の表示例を示す図である。図７は、本実施形態に係るページ処理設定画面の表示例を示す図である。
【００５５】
図５に示すように、本実施形態に係る全体設定画面において、「機能」欄には、画像形成装置２が備える機能の一覧が表示されており、「印刷条件」欄には、「機能」欄に表示されている機能毎に、画像形成装置２に画像形成出力を実行させる際の印刷条件が選択可能なように表示されている。
【００５６】
また、「機能」欄の「印刷ファイル」は、印刷対象データとなる印刷ファイルの格納場所を利用者の操作により入力する項目である。従って、本実施形態に係る画像形成システムにおいては、クライアント端末１から画像形成装置２に画像形成出力を実行させると、この「印刷ファイル」欄に入力された格納場所に格納されている印刷ファイルが印刷されることになる。このように、本実施形態に係る画像形成システムにおいては、利用者は、図５に示すような全体設定画面において印刷対象データ及び全体条件を設定するようになっている。
【００５７】
また、図５に示すように、本実施形態に係る全体設定画面には、「後処理設定」ボタンと「ページ処理設定」ボタンとが表示されており、それらのいずれかが利用者の操作により押下されることで、後処理設定画面若しくはページ処理設定画面に遷移するようになっている。
【００５８】
また、図６に示すように、本実施形態に係る後処理設定画面においては、後処理条件を適用するページ範囲の開始ページを指定することができるようになっている。尚、本実施形態に係る後処理設定画面においては、後処理条件を適用するページ範囲の開始ページを指定するだけで、後処理条件の細かい内容については設定することができないようになっているが、ページ処理条件と同様に、後処理条件の細かい内容についても設定することができるように構成されていても良い。
【００５９】
また、図７に示すように、本実施形態に係るページ処理設定画面においては、ページ単位での設定が可能なページ処理機能が選択可能なように表示されており、また、ページ処理機能を適用するページ範囲を指定することができるようになっている。尚、ページ範囲を設定するためのコンボボックスにおいては、後処理設定画面において設定されたページ範囲のリストが表示されるようになっており、利用者は、後処理条件が設定されたページ範囲を容易に指定することができるようになっている。
【００６０】
また、ＵＩ表示制御部４１２は、後述する設定データ入力部４１３に記憶されている設定データに基づき、利用者が設定画面において設定した印刷条件の設定内容を確認するためのＵＩである確認画面を表示させるための確認画面表示情報を生成して、表示制御部７００を介して、生成した確認画面表示情報に従ってディスプレイパネル１０３に確認画面を表示させる。
【００６１】
尚、本実施形態においては、全体条件の設定内容を確認するための確認画面（以下、「全体設定確認画面」とする）の他、例外条件の設定内容とその例外条件が設定されたページ範囲とを確認するための確認画面（以下、「例外設定確認画面」とする）が用意されており、利用者は、全体条件の設定内容を確認することができる他、例外条件の設定内容とその例外条件が設定されたページ範囲とを確認することができるようになっている。
【００６２】
ここで、本実施形態に係る例外設定確認画面について、図８を参照して説明する。図８は、本実施形態に係る例外設定確認画面の表示例を示す図である。尚、図８に示すように、本実施形態においては、図６に示した後処理設定画面において指定された各ページ範囲をそれぞれ「章」と呼称し、各章をそれぞれ識別するための識別情報として、各章に付された自然数等のインデックスにより各ページ範囲が識別される。
【００６３】
図８に示すように、本実施形態に係る例外設定確認画面においては、後処理条件に関する設定内容とページ処理条件に関する設定内容とが、後処理条件が設定された章毎に表示される。さらに、このとき、図８に示すように、本実施形態に係る例外設定確認画面においては、後処理条件の設定かページ処理条件の設定かを表す例外の種類が、章とは別に、後処理条件とページ処理条件とがそれぞれ設定されたページ範囲毎に表示される。その結果、利用者は、どのような設定内容のページ処理条件がどの章において設定されているのかを容易に把握することが可能となる。本実施形態に係るプリンタドライバ４００においては、このような構成を要旨の一つとしている。
【００６４】
従って、本実施形態に係るプリンタドライバ４００によれば、利用者は、印刷条件の設定内容を容易に確認すると共に、ページ処理条件が設定されたページ範囲と後処理条件が設定されたページ範囲との関係性を容易に把握することが可能となる。
【００６５】
また、図８に示すように、本実施形態に係る例外設定画面においては、後処理条件が設定された複数の章をまたいで重複するようにページ処理条件が設定された場合、そのページ処理条件が設定されたページ範囲が、重複している章を基準にして分割されて確認画面に表示される。さらに、このとき、図８に示すように、本実施形態に係る例外設定確認画面においては、後処理条件の設定かページ処理条件の設定かを表す例外の種類が、章とは別に、後処理条件とページ処理条件とがそれぞれ設定されたページ範囲毎に表示される。その結果、利用者は、どのような設定内容のページ処理条件がどの章をまたいで設定されているのかを容易に把握することが可能となる。本実施形態に係るプリンタドライバ４００においては、このような構成を他の要旨の一つとしている。
【００６６】
従って、本実施形態に係るプリンタドライバ４００によれば、利用者は、後処理条件が設定された複数の章をまたいで重複するようにページ処理条件を設定した場合であっても、印刷条件の設定内容を容易に確認すると共に、ページ処理条件が設定されたページ範囲と後処理条件が設定されたページ範囲との関係性を容易に把握することが可能となる。
【００６７】
即ち、利用者は、本実施形態に係る例外設定画面において印刷条件を確認することにより、図９に示すような印刷結果を容易にイメージすることが可能となる。図９は、本実施形態に係る印刷結果の一例を示す図である。
【００６８】
設定データ入力部４１３は、設定画面における利用者の操作による設定データの入力を受け付け、設定データ記憶部４３０に記憶させる。ＵＩ表示制御部４１２は、この設定データ入力部４１３に記憶されている設定データに基づいて、確認画面表示情報を生成する。
【００６９】
設定可能情報記憶部４２０は、例えば、印刷枚数の指定範囲や、変倍の指定範囲、ステープルの設定の有無、集約の設定の有無など、プリンタドライバ４００が設定可能な機能や範囲、形式に関する情報である設定可能情報を記憶している。設定可能情報記憶部４２０は、図２に示すＨＤＤ４０によって実現される。ＵＩ表示制御部４１２は、設定可能情報記憶部４２０に記憶されている設定可能情報に基づいて、設定画面表示情報を生成する。
【００７０】
設定データ記憶部４３０は、設定画面において利用者の操作により入力された設定データを記憶する。
【００７１】
尚、本実施形態においては、全体条件に関する設定データ（以下、「全体設定データ」とする）の他、ページ処理条件に関する設定データ（以下、「ページ処理設定データ」とする）と後処理条件に関する設定データ（以下、「後処理設定データ」とする）とを別々に記憶し、さらに、ページ処理条件と後処理条件とがマージされた設定データ（以下、「例外処理設定データ」とする）を記憶する。
【００７２】
ここで、本実施形態に係る設定データについて、図１０、図１１、図１２を参照して説明する。図１０は、本実施形態に係る設定データ記憶部４３０に記憶されている後処理設定データの一例を示す図である。図１１は、本実施形態に係る設定データ記憶部４３０に記憶されているページ処理設定データの一例を示す図である。図１２は、本実施形態に係る例外処理設定データの一例を示す図である。
【００７３】
図１０に示すように、本実施形態に係る設定データ記憶部４３０は、後処理設定データとして、後処理条件が設定された各ページ範囲を各章に対応付けて、各ページ範囲に設定された設定内容を章毎に記憶している。
【００７４】
また、図１１に示すように、本実施形態に係る設定データ記憶部４３０は、ページ処理設定データとして、ページ処理条件が設定された各ページ範囲をそのページ処理条件と重複して後処理条件が設定されている章にそれぞれ対応付けて、各ページ範囲に設定された設定内容をその章毎に記憶している。
【００７５】
従って、図１１に示すように、本実施形態に係る設定データ記憶部４３０において、ページ処理設定データは、後処理条件が設定された複数の章をまたいで重複するようにページ処理条件が設定された場合、そのページ処理条件が設定されたページ範囲が、重複している章を基準にして分割されて記憶されることになる。
【００７６】
また、図１２に示すように、本実施形態に係る設定データ記憶部４３０は、例外処理設定データとして、後処理条件に関する設定内容とページ処理条件に関する設定内容とを、後処理条件が設定された章毎に記憶している。このとき、図１２に示すように、後処理条件の設定かページ処理条件の設定かを表す例外の種類が、章とは別に、後処理条件とページ処理条件とがそれぞれ設定されたページ範囲毎に記憶されている。
【００７７】
また、後処理条件が設定された複数の章をまたいで重複するようにページ処理条件が設定された場合、図１２に示すように、本実施形態に係る設定データ記憶部４３０は、例外処理設定データとして、そのページ処理条件が設定されたページ範囲を、重複している章を基準に分割して記憶する。このとき、図１２に示すように、後処理条件の設定かページ処理条件の設定かを表す例外の種類が、章とは別に、後処理条件とページ処理条件とがそれぞれ設定されたページ範囲毎に記憶されている。
【００７８】
描画モジュール４４０は、設定データ記憶部４３０に記憶されている設定データに基づいて印刷ジョブを生成する。
【００７９】
このように構成されたプリンタドライバ４００において、本実施形態に係る要旨の一つは、後処理条件に関する設定内容とページ処理条件に関する設定内容とを、後処理条件が設定された各章を単位にして確認画面に表示することにある。
【００８０】
従って、本実施形態に係るプリンタドライバ４００によれば、印刷条件の設定内容を利用者に容易に確認させると共に、ページ処理条件が設定されたページ範囲と後処理条件が設定されたページ範囲との関係性を利用者に容易に把握させることが可能となる。
【００８１】
また、このように構成されたプリンタドライバ４００において、本実施形態に係る他の要旨の一つは、後処理条件が設定された複数の章をまたいで重複するようにページ処理条件が設定された場合に、そのページ処理条件が設定されたページ範囲を重複している章の開始ページとその１ページ手前のページとの間で分割して確認画面に表示することにある。
【００８２】
従って、本実施形態に係るプリンタドライバ４００によれば、後処理条件が設定された複数の章をまたいで重複するようにページ処理条件が設定された場合であっても、印刷条件の設定内容を利用者に容易に確認させると共に、ページ処理条件が設定されたページ範囲と後処理条件が設定されたページ範囲との関係性を利用者に容易に把握させることが可能となる。
【００８３】
これにより、本実施形態に係るプリンタドライバ４００は、画像形成装置２に対して利用する機能を設定する場合において、所望の印刷設定となっているかどうかを利用者に容易に確認させることが可能となり、利用者の利便性を向上させることが可能となる。
【００８４】
次に、本実施形態に係るプリンタドライバ４００が利用者の操作に応じてページ処理条件を設定する際の処理について、図１３を参照して説明する。図１３は、本実施形態に係るプリンタドライバ４００が利用者の操作に応じてページ処理条件を設定する際の処理を説明するためのフローチャートである。
【００８５】
図１３に示すように、本実施形態に係るプリンタドライバ４００が利用者の操作に応じてページ処理条件を設定する際にはまず、ＵＩ制御部４１１は、操作制御部６００を介してページ処理設定画面を表示させるための操作を受け付けると（Ｓ１３０１）、ページ処理設定画面を表示するようにＵＩ表示制御部４１２に通知する。
【００８６】
ＵＩ表示制御部４１２は、ＵＩ制御部４１１からページ処理設定画面を表示するように通知を受けると、ページ処理設定画面を表示するための表示情報を生成し（Ｓ１３０２）、生成した表示情報に従ってディスプレイパネル１０３にページ処理設定画面を表示させる（Ｓ１３０３）。即ち、本実施形態においては、Ｓ１３０３における処理が、ページ処理機能表示ステップとして実行される。
【００８７】
そして、設定データ入力部４１３は、ページ処理設定画面においてページ処理設定データの入力を受け付けた後（Ｓ１３０４）、入力を受け付けたページ処理設定データの確定を受け付け（Ｓ１３０５）、ＵＩ制御部４１１に通知する。即ち、本実施形態においては、Ｓ１３０４、Ｓ１３０５における処理が、後処理機能表受付ステップとして実行される。
【００８８】
ＵＩ制御部４１１は、設定データ入力部４１３からページ処理設定データの入力が確定されたことの通知を受けると、設定データ記憶部４３０に後処理設定データが記憶されているか否かを判定する（Ｓ１３０６）。
【００８９】
設定データ入力部４１３は、Ｓ１３０６における判定処理において後処理設定データが記憶されていないと判定された場合（Ｓ１３０６／ＮＯ）、Ｓ１３０５において確定されたページ処理設定データを設定データ記憶部４３０に記憶させ（Ｓ１３０７）、そのページ処理設定データを例外処理設定データに反映させる（Ｓ１３０８）。
【００９０】
一方、ＵＩ制御部４１１は、Ｓ１３０６における判定処理において後処理設定データが記憶されていると判定した場合（Ｓ１３０６／ＹＥＳ）、設定データ記憶部４３０に記憶されている後処理設定データを参照して、Ｓ１３０５において確定されたページ処理設定データにおけるページ範囲の中に、後処理条件が設定された章の開始ページが含まれているか否かを判定する（Ｓ１３０９）。即ち、本実施形態においては、Ｓ１３０９における処理が判定ステップとして実行される。
【００９１】
設定データ入力部４１３は、Ｓ１３０９における判定処理において上記ページ範囲の中に、後処理条件が設定された章の開始ページが含まれていないと判定された場合（Ｓ１３０９／ＮＯ）、Ｓ１３０５において確定されたページ処理設定データをそのページ範囲が属する章に対応付けて設定データ記憶部４３０に記憶させ（Ｓ１３１０）、そのページ処理設定データと後処理設定データとをマージして例外処理設定データに反映させる（Ｓ１３１１）。
【００９２】
一方、ＵＩ制御部４１１は、Ｓ１３０９における判定処理において上記ページ範囲の中に、後処理条件が設定された章の開始ページが含まれていると判定した場合（Ｓ１３０９／ＹＥＳ）、Ｓ１３０５において確定されたページ処理設定データにおけるページ範囲を、上記開始ページとその開始ページの１ページ手前のページとの間で分割する（Ｓ１３１２）。即ち、本実施形態においては、Ｓ１３１２における処理が分割ステップとして実行される。
【００９３】
そして、設定データ入力部４１３は、Ｓ１３０５において確定されたページ処理設定データをＳ１３１２において分割された状態で設定データ記憶部４３０に記憶させ（Ｓ１３１３）、そのページ処理設定データと後処理設定データとをマージして例外処理設定データに反映させる（Ｓ１３１１）。
【００９４】
次に、本実施形態に係るプリンタドライバ４００が利用者の操作に応じて後処理条件を設定する際の処理について、図１４を参照して説明する。図１４は、本実施形態に係るプリンタドライバ４００が利用者の操作に応じて後処理条件を設定する際の処理を説明するためのフローチャートである。
【００９５】
図１４に示すように、本実施形態に係るプリンタドライバ４００が利用者の操作に応じて後処理条件を設定する際にはまず、ＵＩ制御部４１１は、操作制御部６００を介して後処理設定画面を表示させるための操作を受け付けると（Ｓ１４０１）、後処理設定画面を表示するようにＵＩ表示制御部４１２に通知する。
【００９６】
ＵＩ表示制御部４１２は、ＵＩ制御部４１１から後処理設定画面を表示するように通知を受けると、後処理設定画面を表示するための表示情報を生成し（Ｓ１４０２）、生成した表示情報に従ってディスプレイパネル１０３に後処理設定画面を表示させる（Ｓ１４０３）。
【００９７】
そして、設定データ入力部４１３は、後処理設定画面において後処理設定データの入力を受け付けた後（Ｓ１４０４）、入力を受け付けた後処理設定データの確定を受け付け（Ｓ１４０５）、確定された後処理設定データを設定データ記憶部４３０に記憶させる（Ｓ１４０６）、ＵＩ制御部４１１に通知する。即ち、本実施形態においては、Ｓ１４０４、Ｓ１４０５における処理が、後処理機能表受付ステップとして実行される。
【００９８】
ＵＩ制御部４１１は、設定データ入力部４１３から後処理設定データが記憶されたことの通知を受けると、設定データ記憶部４３０にページ処理設定データが記憶されているか否かを判定する（Ｓ１４０７）。
【００９９】
ＵＩ制御部４１１は、Ｓ１４０７における判定処理においてページ処理設定データが記憶されていないと判定した場合（Ｓ１４０７／ＮＯ）、Ｓ１４０５において確定された後処理設定データを設定データ記憶部４３０に記憶させ（Ｓ１４０８）、その後処理設定データを例外処理設定データに反映させる（Ｓ１４０９）。
【０１００】
一方、ＵＩ制御部４１１は、Ｓ１４０７における判定処理においてページ処理設定データが記憶されていると判定した場合（Ｓ１４０７／ＹＥＳ）、設定データ記憶部４３０に記憶されているページ処理設定データを参照して、ページ処理設定データにおける各ページ範囲のうち、Ｓ１４０５において確定された後処理条件が設定された章の開始ページを含むページ範囲が存在するか否かを判定する（Ｓ１４１０）。即ち、本実施形態においては、Ｓ１４１０における処理が判定ステップとして実行される。
【０１０１】
設定データ入力部４１３は、Ｓ１４１０における判定処理において上記開始ページを含むページ範囲が存在しないと判定された場合（Ｓ１４１０／ＮＯ）、Ｓ１４０５において確定された後処理条件が設定された章とその章に属するページ処理設定データとを対応付け（Ｓ１４１１）、ページ処理設定データと後処理設定データとをマージして例外処理設定データに反映させる（Ｓ１４１２）。
【０１０２】
一方、ＵＩ制御部４１１は、Ｓ１４１０における判定処理において上記開始ページを含むページ範囲が存在すると判定した場合（Ｓ１４１０／ＹＥＳ）、そのページ範囲を上記開始ページとその開始ページの１ページ手前のページとの間で分割する（Ｓ１４１３）。即ち、本実施形態においては、Ｓ１４１３における処理が分割ステップとして実行される。
【０１０３】
そして、設定データ入力部４１３は、Ｓ１４０５において確定された後処理設定データとページ処理設定データとをマージして例外処理設定データに反映させる（Ｓ１４１２）。
【０１０４】
次に、本実施形態に係るプリンタドライバ４００が利用者の操作に応じて例外設定確認画面を表示する際の処理について、図１５を参照して説明する。図１５は、本実施形態に係るプリンタドライバ４００が利用者の操作に応じて例外設定確認画面を表示する際の処理を説明するためのフローチャートである。
【０１０５】
本実施形態に係るプリンタドライバ４００が利用者の操作に応じて例外設定確認画面を表示する際にはまず、ＵＩ制御部４１１は、操作制御部６００を介して例外設定画面を表示させるための操作を受け付けると（Ｓ１５０１）、例外設定確認画面を表示するようにＵＩ表示制御部４１２に通知する。
【０１０６】
ＵＩ表示制御部４１２は、ＵＩ制御部４１１から例外設定確認画面を表示するように通知を受けると、図１２に示した例外処理設定データを参照して、例外設定確認画面を表示するための表示情報を生成し（Ｓ１５０２）、生成した表示情報に従ってディスプレイパネル１０３に例外設定画面を表示させる（Ｓ１５０３）。即ち、本実施形態においては、例外設定確認画面が各ページ範囲に適用される機能の一覧として表示部に表示され、Ｓ１５０３における処理が一覧表示ステップとして実行される。
【０１０７】
以上、説明したように、本実施形態に係るプリンタドライバ４００は、後処理条件に関する設定内容とページ処理条件に関する設定内容とを、後処理条件が設定された各章を単位にして確認画面に表示することを要旨の一つとしている。
【０１０８】
従って、本実施形態に係るプリンタドライバ４００によれば、印刷条件の設定内容を利用者に容易に確認させると共に、ページ処理条件が設定されたページ範囲と後処理条件が設定されたページ範囲との関係性を利用者に容易に把握させることが可能となる。
【０１０９】
また、このように構成されたプリンタドライバ４００は、後処理条件が設定された複数の章をまたいで重複するようにページ処理条件が設定された場合に、そのページ処理条件が設定されたページ範囲を重複している章の開始ページとその１ページ手前のページとの間で分割して確認画面に表示することを他の要旨の一つとしている。
【０１１０】
従って、本実施形態に係るプリンタドライバ４００によれば、後処理条件が設定された複数の章をまたいで重複するようにページ処理条件が設定された場合であっても、印刷条件の設定内容を利用者に容易に確認させると共に、ページ処理条件が設定されたページ範囲と後処理条件が設定されたページ範囲との関係性を利用者に容易に把握させることが可能となる。
【０１１１】
これにより、本実施形態に係るプリンタドライバ４００は、画像形成装置２に対して利用する機能を設定する場合において、所望の印刷設定となっているかどうかを利用者に容易に確認させることが可能となり、利用者の利便性を向上させることが可能となる。
【０１１２】
尚、本実施形態においては、画像形成装置２を利用するためのプリンタドライバ４００について説明したが、この他、画像形成装置２に対して利用する機能を設定するための機能設定プログラムであれば同様に適用可能である。
【０１１３】
また、本実施形態に係る例外設定確認画面には、図８に示したように、後処理条件に関する設定内容とページ処理条件に関する設定内容とが、後処理条件が設定された章毎に表示される例について説明したが、この他、後処理機能が適用されるページ範囲と、後処理機能が適用されるページ範囲のうち画像処理機能が適用されるページ範囲とが関連付けられて表示されるように構成されていれば、本実施形態における効果と同様の効果を得ることが可能である。
【符号の説明】
【０１１４】
１  クライアント端末
２  画像形成装置
１０  ＣＰＵ
２０  ＲＡＭ
３０  ＲＯＭ
４０  ＨＤＤ
５０  Ｉ／Ｆ
６０  ＬＣＤ
７０  操作部
８０  専用デバイス
９０  バス
１００  コントローラ
１０１  キーボード
１０２  マウス
１０３  ディスプレイパネル
１０４  ネットワークＩ／Ｆ
２００  ＯＳ
３００  アプリケーション
４００  プリンタドライバ
４１０  ＵＩモジュール
４１１  ＵＩ制御部
４１２  ＵＩ表示制御部
４１３  設定データ入力部
４２０  設定可能情報記憶部
４３０  設定データ記憶部
４４０  描画モジュール
５００  データ記憶部
６００  操作制御部
７００  表示制御部
８００  入出力制御部
【先行技術文献】
【特許文献】
【０１１５】
【特許文献１】特開２００８−０９０６３１号公報
【図１】
2015207056.tif 000003
【図２】
2015207056.tif 000004
【図３】
2015207056.tif 000005
【図４】
2015207056.tif 000006
【図５】
2015207056.tif 000007
【図６】
2015207056.tif 000008
【図７】
2015207056.tif 000009
【図８】
2015207056.tif 000010
【図９】
2015207056.tif 000011
【図１０】
2015207056.tif 000012
【図１１】
2015207056.tif 000013
【図１２】
2015207056.tif 000014
【図１３】
2015207056.tif 000015
【図１４】
2015207056.tif 000016
【図１５】
2015207056.tif 000017